(57)【要約】      （修正有）【解決手段】外ピン７と内ピン５の間に補助タンブラ９を組み込み、内筒２の外周に内収納穴１２を形成し、その内収納穴１２に内コントロールピン１３を挿入し、内コントロールピン１３を挿入した内収納穴１２内に補助タンブラ９を収納可能とし、内筒２の回転を許容する位置に内ピン５を保持しつつ前後方向に移動可能なニュートラルキーを使用し、このニュートラルキーに、内収納穴１２が外ピン穴６と対向する位置でニュートラルキーを前後方向に動かす作動により内コントロールピン１３を半径方向外方に押し動かして内収納穴１２内にある補助タンブラ９を外ピン穴６内に押し出す。【効果】外ピンと内ピンの間に補助タンブラを組み込んで、補助タンブラの内外２箇所で内筒の回転を許容するので、数種類の通常キーで施開錠可能で、補助タンブラを内収納穴に選択的に収納することにより、特定の種類の通常キーでのみ施開錠可能にできる。【選択図】図６
2006104928.tif 000002
【特許請求の範囲】
【請求項１】
鍵穴を有する内筒と、この内筒を回転自在に支持する外筒とを有し、前記内筒の外周と前記外筒の内周とに半径方向で対向する内ピン穴と外ピン穴を形成し、前記内ピン穴に内ピンを挿入し、前記外ピン穴に外ピンを挿入して半径方向内方に付勢し、前記鍵穴に差し込んだ通常キーで前記内ピンを前記内筒の回転が許容される位置に押し動かしてその内筒の回転により施開錠するシリンダ錠において、前記外ピンと前記内ピンの間に補助タンブラを組み込み、前記内筒の外周に、前記内ピン穴に対して周方向に間隔をおいて内収納穴を形成し、その内収納穴に内コントロールピンを挿入し、前記内コントロールピンを挿入した前記内収納穴内に前記補助タンブラを収納可能とし、前記内筒の回転を許容する位置に前記内ピンを保持しつつ前後方向に移動可能なニュートラルキーを使用し、このニュートラルキーに、前記内収納穴が前記外ピン穴と対向する位置でニュートラルキーを前後方向に動かす作動により前記内コントロールピンを半径方向外方に押し動かして前記内収納穴内にある前記補助タンブラを前記外ピン穴内に押し出す押圧部を設けたことを特徴とするシリンダ錠。
【請求項２】
前記内収納穴の外端を、前記外ピンの内端よりも小さくした請求項１に記載のシリンダ錠。
【請求項３】
前記外筒の内周に、鍵差込位置で前記内収納穴と向き合う外収納穴を形成し、その外収納穴に外コントロールピンを挿入して半径方向内方に付勢した請求項１または２に記載のシリンダ錠。
【請求項４】
前記外コントロールピンの内端を、前記内収納穴の外端よりも大きくした請求項３に記載のシリンダ錠。
【請求項５】
半径方向内方に付勢された前記外コントロールピンが前記内収納穴に落ち込んで前記内コントロールピンを押圧するようにした請求項３に記載のシリンダ錠。
【請求項６】
前記内収納穴の縁にガイド面を形成し、前記内筒を回転させたときに前記ガイド面が前記外コントロールピンを半径方向外方に案内して前記内収納穴から抜き出すようにした請求項５に記載のシリンダ錠。
【請求項７】
前記内ピンが挿入された前記内ピン穴と前記外ピンが挿入された前記外ピン穴を周方向に間隔をおいて２組形成し、その各組の内ピンと外ピンの間にそれぞれ組み込まれた前記補助タンブラを選択的に前記内収納穴に収納可能とした請求項１から６のいずれかに記載のシリンダ錠。
【請求項８】
前記鍵穴を前記内筒の外周に開放させ、その開放位置に対応する位置に回収凹部を形成した回収キーを使用し、その回収キーを前記鍵穴に差し込んで前記補助タンブラを外ピン穴に押し出した状態で内筒を回転可能となし、前記鍵穴の開放位置を前記外ピン穴の位置に一致させて外ピン穴内の補助タンブラを前記回収キーの回収穴に回収可能とした請求項１から７のいずれかに記載のシリンダ錠。
【発明の詳細な説明】
【技術分野】
【０００１】
この発明は、錠の交換なしに鍵の種類を変更できるシリンダ錠に関する。
【背景技術】
【０００２】
従来、複数種類の鍵で施開錠可能な状態から、その鍵のうちの特定の種類の鍵でのみ施開錠可能な状態に変化させることができるシリンダ錠が提案されている（特許文献１）。このシリンダ錠は、複数組の外ピンと内ピンの間にそれぞれ補助タンブラを組み込んでおり、その補助タンブラのうちの一部の補助タンブラを、補助タンブラ除去用の凹部を有するチェンジキーで選択的に除去することにより、補助タンブラの除去前に使用可能だった鍵のうちの特定の種類の鍵の使用を禁止するものである。さらに、鍵の紛失・盗難や住人の入れ替わりがあった場合には、新たなチェンジキーで補助タンブラを更に除去して、前に使用していた鍵の使用を禁止することができる。
【０００３】
しかし、この従来のシリンダ錠は、錠の交換なしに鍵を変更できる回数が少ない。すなわち、このシリンダ錠は、一度除去した補助タンブラを元に戻すことができないので、錠の交換なしに鍵を変更するには、前回除去せずに残した補助タンブラのうちの一部の補助タンブラを更に除去するしかない。そのため、鍵の変更は、補助タンブラの個数以下の回数しか行なうことができず、住人が入れ替わる賃貸マンション等においては、短期間で鍵の変更回数が限界に達してシリンダ錠を交換せざるを得なくなり、経済負担が大きかった。
【０００４】
また、このシリンダ錠は、管理の負担が大きい。すなわち、一度除去した補助タンブラは元に戻すことができないので、チェンジキーによる補助タンブラの除去動作をやり直すことができず、間違えたチェンジキーを使用すると、より短期間で鍵の変更回数が限界に達する。たとえば１回目の鍵の変更の際に、間違えたチェンジキーを使用して補助タンブラをすべて除去した場合、一度除去した補助タンブラは元に戻せないので、更なる鍵の変更ができない。したがって、その鍵を紛失したり、その鍵を使用していたマンションの住人が入れ替わるときには、シリンダ錠を交換するしかない。
【０００５】
また、このシリンダ錠は、鍵の紛失・盗難があったときの安全性に劣る。たとえば、鍵を紛失した場合、新たなチェンジキーで更に補助タンブラを除去して、紛失した鍵の使用を禁止し、使用する鍵を新たな鍵に変更する。ところが、紛失した鍵と新たな鍵とは、鍵溝が一部しか異ならないので、紛失した鍵に基づいて新たな鍵が偽造されるおそれがある。
【特許文献１】特開平１１−１２５０３９号公報
【発明の開示】
【発明が解決しようとする課題】
【０００６】
この発明が解決しようとする課題は、数種類の通常キーで施開錠可能な状態から、その通常キーのうちの特定の種類の通常キーでのみ施開錠可能な状態に変化させることができ、しかも使用する通常キーの種類を錠の交換なしに何度でも変更できるシリンダ錠を提供することである。
【課題を解決するための手段】
【０００７】
上記の課題を解決するために、鍵穴を有する内筒と、この内筒を回転自在に支持する外筒とを有し、前記内筒の外周と前記外筒の内周とに半径方向で対向する内ピン穴と外ピン穴を形成し、前記内ピン穴に内ピンを挿入し、前記外ピン穴に外ピンを挿入して半径方向内方に付勢し、前記鍵穴に差し込んだ通常キーで前記内ピンを前記内筒の回転が許容される位置に押し動かしてその内筒の回転により施開錠するシリンダ錠において、前記外ピンと前記内ピンの間に補助タンブラを組み込み、前記内筒の外周に、前記内ピン穴に対して周方向に間隔をおいて内収納穴を形成し、その内収納穴に内コントロールピンを挿入し、前記内コントロールピンを挿入した前記内収納穴内に前記補助タンブラを収納可能とし、前記内筒の回転を許容する位置に前記内ピンを保持しつつ前後方向に移動可能なニュートラルキーを使用し、このニュートラルキーに、前記内収納穴が前記外ピン穴と対向する位置でニュートラルキーを前後方向に動かす作動により前記内コントロールピンを半径方向外方に押し動かして前記内収納穴内にある前記補助タンブラを前記外ピン穴内に押し出す押圧部を設けたことを特徴とするシリンダ錠を提供する。
【０００８】
このシリンダ錠は、以下の構成を加えるとより好ましいものとなる。
１）前記内収納穴の外端を、前記外ピンの内端よりも小さくする。
２）前記外筒の内周に、鍵差込位置で前記内収納穴と向き合う外収納穴を形成し、その外収納穴に外コントロールピンを挿入して半径方向内方に付勢する。
３）前記外コントロールピンの内端を、前記内収納穴の外端よりも大きくする。
４）半径方向内方に付勢された前記外コントロールピンが前記内収納穴に落ち込んで前記内コントロールピンを押圧するようにする。
５）前記内収納穴の縁にガイド面を形成し、前記内筒を回転させたときに前記ガイド面が前記外コントロールピンを半径方向外方に案内して前記内収納穴から抜き出すようにする。
６）前記内ピンが挿入された前記内ピン穴と前記外ピンが挿入された前記外ピン穴を周方向に間隔をおいて２組形成し、その各組の内ピンと外ピンの間にそれぞれ組み込まれた前記補助タンブラを選択的に前記内収納穴に収納可能とする。
７）前記鍵穴を前記内筒の外周に開放させ、その開放位置に対応する位置に回収凹部を形成した回収キーを使用し、その回収キーを前記鍵穴に差し込んで前記補助タンブラを外ピン穴に押し出した状態で内筒を回転可能となし、前記鍵穴の開放位置を前記外ピン穴の位置に一致させて外ピン穴内の補助タンブラを前記回収キーの回収穴に回収可能とする。
【発明の効果】
【０００９】
このシリンダ錠は、外ピンと内ピンの間に補助タンブラを組み込んで、補助タンブラの内外２箇所で内筒の回転を許容するようにしたので、数種類の通常キーで施開錠可能である。また、この補助タンブラを内収納穴に選択的に収納することにより、その補助タンブラの収納前に使用可能であった通常キーのうちの特定の種類の通常キーでのみ施開錠可能な状態とすることができる。さらに、ニュートラルキーを用いて内収納穴に収納された補助タンブラを内ピンと外ピンの間に復帰させることができるので、錠の交換なしに、使用する鍵の種類を何度でも変更することができる。
【００１０】
さらに、前記内収納穴の外端を前記外ピンの内端よりも小さくしたものは、内筒を回転させて内収納穴を外ピン穴に向き合わせても外ピンが内収納穴に落ち込まない。そのため、鍵穴に鍵を差し込んで内筒を回転させたときに、内収納穴に外ピンが落ち込んで内筒を元の位置に戻せなくなる事態を防止することができる。
【００１１】
また、前記外筒の内周に、鍵差込位置で前記内収納穴と向き合う外収納穴を形成し、その外収納穴に外コントロールピンを挿入して半径方向内方に付勢したものは、鍵を鍵穴に差し込む際に内収納穴内の補助タンブラが外収納穴内に逃げるので、鍵の差込みが円滑である。
【００１２】
また、前記外コントロールピンの内端を前記内収納穴の外端よりも大きくしたものは、外コントロールピンが内収納穴に落ち込まないので、補助タンブラを収納させていない内収納穴に対応する内コントロールピンの外端を内筒の外周に揃えない形状の通常キーでも施開錠することができ、そのような通常キーを使用すると、シリンダ錠が内収納穴に補助タンブラを収納させた状態にあるか否かを、通常キーの形状に基づいて読み取ることが困難である。そのため、通常キーに基づいて他の通常キーに対応する鍵が偽造されにくく、防犯上の安全性が高い。
【００１３】
また、半径方向内方に付勢された前記外コントロールピンが前記内収納穴に落ち込んで前記内コントロールピンを押圧するようにしたものは、内収納穴内に補助タンブラがなくても内コントロールピンががたつかない。そのため、鍵穴から内コントロールピンに触れても、シリンダ錠が内収納穴に補助タンブラを収納させた状態にあるか否かを読み取ることが困難であり、防犯上の安全性が高い。
【００１４】
前記内収納穴の縁にガイド面を形成し、前記内筒を回転させたときに前記ガイド面が前記外コントロールピンを半径方向外方に案内して前記内収納穴から抜き出すようにしたものは、外コントロールピンが内収納穴に落ち込んだままとなって内筒の回転を阻止する事態を防止することができる。
【００１５】
また、前記内ピンが挿入された前記内ピン穴と前記外ピンが挿入された前記外ピン穴を周方向に間隔をおいて２組形成し、その各組の内ピンと外ピンの間にそれぞれ組み込まれた前記補助タンブラを選択的に前記内収納穴に収納可能としたものは、内収納穴に収納可能な補助タンブラが２つあるので、シリンダ錠が内収納穴に補助タンブラを収納させた状態にあることを読み取られた場合でも、その補助タンブラがいずれの組の内ピンと外ピンの間にあったものかは分からない。そのため、防犯上の安全性が高い。
【００１６】
また、回収キーを前記鍵穴に差し込んで前記補助タンブラを外ピン穴に押し出した状態で内筒を回転可能となし、前記鍵穴の開放位置を前記外ピン穴の位置に一致させて外ピン穴内の補助タンブラを前記回収キーの回収穴に回収可能としたものは、シリンダ錠が補助タンブラを内収納穴に収納させていない状態にあることを読み取られた場合でも、その補助タンブラが回収されずに内ピンと外ピンの間に残っているか否かは分からない。そのため、防犯上の安全性が高い。
【発明を実施するための最良の形態】
【００１７】
図１に、この発明のシリンダ錠の第１実施形態を示す。このシリンダ錠は、鍵穴１を有する内筒２と、この内筒２を回転自在に支持する外筒３とを備えており、内筒２の鍵穴１に鍵を差し込み、内筒２を外筒３に対して回転させて施開錠する。
【００１８】
図６（ａ）に示すように、内筒２の外周には内ピン穴４−１が形成されており、この内ピン穴４−１に内ピン５−１が挿入されている。また、外筒３の内周には、内筒２の内ピン穴４−１と互いに向き合う外ピン穴６−１が形成されており、この外ピン穴６−１に外ピン７−１が挿入され、外ピン７−１は、ばね８−１で内向きに付勢されている。
【００１９】
また、外ピン７−１と内ピン５−１との間には球状の補助タンブラ９−１が組み込まれている。したがって、鍵を鍵穴１に差し込んで内ピン５−１を押し動かし、この内ピン５−１によって補助タンブラ９−１の外端を内筒２の外周に揃わせるか、または内ピン５−１の外端を内筒２の外周に揃わせないと、外筒３に対する内筒２の回転が許容されない。
【００２０】
同様に、内ピン１０−１と外ピン１１−１とが、それぞれ内筒２と外筒３とに設けられており、鍵を鍵穴１に差し込んで内ピン１０−１の外端を内筒２の外周に揃わせないと外筒３に対する内筒２の回転が許容されないようになっている。
【００２１】
また、内筒２の外周には、内ピン穴４−１に対して周方向に間隔をおいて内収納穴１２−１が形成されている。この内収納穴１２−１は、内筒２を回転させることにより外ピン穴６−１と向き合い、外ピン穴６−１内にある補助タンブラ９−１を収納可能となっている。また、内収納穴１２−１には内コントロールピン１３−１が挿入されており、鍵穴１に差し込んだ鍵で内コントロールピン１３−１を外向きに押し動かして、内収納穴１２−１内の補助タンブラ９−１を押し出せるようになっている。
【００２２】
同様にして、このシリンダ錠は、内ピン穴４−２…４−６、内ピン５−２…５−６、外ピン穴６−２…６−６、外ピン７−２…７−６、ばね８−２…８−６、補助タンブラ９−２…９−６、内ピン１０−２…１０−６、外ピン１１−２…１１−６、内収納穴１２−２…１２−６、内コントロールピン１３−２…１３−６を備える。
【００２３】
以下、このシリンダ錠の使用例を説明する。
【００２４】
図１に示すように、すべての補助タンブラ９−１…９−６が外ピン７−１…７−６と内ピン５−１…５−６との間に介在する初期状態において、鍵穴１に第１の通常キーＫ１を差し込む。通常キーは、外ピンとの間に補助タンブラを組み込んだ内ピン５−１…５−６のうちの一部の内ピンの外端を内筒２の外周に揃え、他の内ピンに対応する補助タンブラの外端を内筒２の外周に揃えて施開錠する鍵である。
【００２５】
鍵穴１に差し込んだ通常キーＫ１は、図２に示すように、一部の補助タンブラ９−１…９−３を外ピン穴内に押し出し、その補助タンブラ９−１…９−３に対応する内ピン５−１…５−３の外端を内筒２の外周に揃える（図６（ｂ）参照）。他の内ピン５−４…５−６も鍵穴１に差し込んだ通常キーＫ１で押し動かされて、対応する補助タンブラ９−４…９−６の外端を内筒２の外周に揃える（図７（ａ）参照）。また、内ピン１０−１…１０−６の外端も内筒２の外周に揃い、内筒２の回転が可能な状態となる。
【００２６】
つぎに、図３に示すように、鍵穴１に差し込んだ通常キーＫ１を回して内筒２を回転させる。内収納穴１２−１…１２−６が外ピン穴６−１…６−６と向き合う位置まで内筒２を回転させたとき、ばね８−１…８−３で内向きに付勢された外ピン７−１…７−３が、外ピン穴６−１…６−３内にある補助タンブラ９−１…９−３を内収納穴１２−１…１２−３内に押し出す（図６（ｃ）参照）。一方、内ピン穴４−４…４−６内の補助タンブラ９−４…９−６は、内ピン穴４−４…４−６内に保持されたまま内筒２と共に回転する（図７（ｂ）参照）。
【００２７】
つづいて、図４に示すように、内筒２を鍵差込位置に戻す。このとき、補助タンブラ９−１…９−３は内収納穴１２−１…１２−３内に保持されたまま内筒２と共に回転する（図６（ｄ）参照）。一方、内ピン穴に保持されていた補助タンブラ９−４…９−６は外ピン７−４…７−６と内ピン５−４…５−６との間に戻る（図７（ｃ）参照）。鍵差込位置に戻った内筒２の鍵穴１から通常キーＫ１を引き抜くと、図５に示すように、初期状態に外ピンと内ピンとの間に介在していた補助タンブラ９−１…９−６のうちの一部の補助タンブラ９−１…９−３が内収納穴１２−１…１２−３に移動した一部移動状態となる（図６（ｅ）、図７（ｄ）参照）。
【００２８】
一部移動状態となったこのシリンダ錠は、通常キーＫ１で再び施開錠できる。しかし、内収納穴内に収納された補助タンブラ９−１…９−３に対応する内ピン５−１…５−３の外端をすべて内筒２の外周に揃える通常キー以外の通常キーでは、初期状態のシリンダ錠を施開錠することはできても、上記の一部移動状態のシリンダ錠を施開錠することはできない。
【００２９】
たとえば、内ピン５−２、５−３、５−４の外端を内筒２の外周に揃え、他の内ピン５−１、５−５、５−６に対応する補助タンブラ９−１、９−５、９−６の外端を内筒２の外周に揃える第２の通常キーＫ２では、初期状態のシリンダ錠を施開錠することはできるが、上記の一部移動状態のシリンダ錠を施開錠しようとしても外ピン７−１が内ピン穴４−１に落ち込むので内筒２の回転が許容されず、施開錠できない。一方、内ピン５−１、５−２、５−３、５−４の外端を内筒２の外周に揃え、他の内ピン５−５、５−６に対応する補助タンブラ９−５、９−６の外端を内筒２の外周に揃える第３の通常キーＫ３では、上記の一部移動状態のシリンダ錠を施開錠できる。ただし、通常キーＫ３を使用すると、補助タンブラ９−４が内収納穴１２−４に収納されて新たな一部移動状態に変化するので、上記の通常キーＫ１で施開錠することができなくなる。
【００３０】
このようにして、シリンダ錠を初期状態から一部移動状態に変化させることにより、初期状態で使用可能であった通常キーのうち、特定の種類の通常キーの使用を禁止することができる。また、シリンダ錠を一部移動状態から新たな一部移動状態に変化させることにより、変化前に使用可能であった通常キーのうち、特定の種類の通常キーの使用を禁止することができる。
【００３１】
一部移動状態のシリンダ錠は、以下のようにして初期状態に戻すことができる。
【００３２】
まず、図８に示すように、一部移動状態のシリンダ錠の鍵穴１にニュートラルキーＮを差し込んで、内ピン穴４−４…４−６内にある補助タンブラ９−４…９−６を外ピン穴６−４…６−６内に押し出す。このニュートラルキーＮは、内ピン５−１…５−６および内ピン１０−１…１０−６を内筒２の回転を許容する位置に保持しつつ引抜方向に移動可能な鍵であり、図では、各々の内ピンに対応する長溝１６を形成して鍵を引抜方向に移動可能としている。また、図９に示すように、ニュートラルキーＮには、内コントロールピン１３−１…１３−６の内端と当接する部分から前方に向かって次第に隆起する押圧部１７が形成されている。
【００３３】
つぎに、図９に示すように、鍵穴１に差し込んだニュートラルキーＮを回して内筒２を回転させる。内収納穴１２−１…１２−６が外ピン穴６−１…６−６と向き合う位置まで内筒２を回転させたとき、外ピン穴６−４…６−６内にある補助タンブラ９−４…９−６が内収納穴１２−４…１２−６に収納される。他の収納穴１２−１…１２−３には元より補助タンブラ９−１…９−３が収納されているので、結局、補助タンブラ９−１…９−６の全てが内収納穴１２−１…１２−６に収納された状態となる。
【００３４】
つづいて、図１０に示すように、ニュートラルキーＮを引抜方向に移動させる。これにより、ニュートラルキーＮの押圧部１７が内コントロールピン１３−１…１３−６を半径方向外方に押し動かし、内収納穴１２−１…１２−６内の補助タンブラ９−１…９−６を外ピン穴６−１…６−６内に押し出す。
【００３５】
この状態で、図１１に示すようにニュートラルキーＮを回して内筒２を鍵差込位置に戻し、さらにニュートラルキーＮを鍵穴１から引き抜くと、各々の補助タンブラ９−１…９−６が、それぞれ外ピン７−１…７−６と内ピン５−１…５−６の間に復帰し、シリンダ錠は初期状態に戻る。
【００３６】
このように、このシリンダ錠は、一部移動状態から初期状態に戻すことができるので、ニュートラルキーＮと数種類の通常キーＫ１…ＫＮを用いて、使用する鍵の種類を何度でも変更することができる。また、間違えた通常キーを使用して本来移動させる予定でない補助タンブラを移動させた場合でも、ニュートラルキーＮで初期状態に戻すことができるので、シリンダ錠を交換する必要がない。さらに、使用する通常キーＫＸを新たな通常キーＫＹに変更する場合、内収納穴に収納する補助タンブラの総数を変えずに、内収納穴に収納する補助タンブラの組み合わせを変更して変更前の通常キーＫＸの使用を禁止できるので、このシリンダ錠は、使用する通常キーの変更に際して作り出せる鍵違い数が多く、安全性が高い。
【００３７】
また、このシリンダ錠は、内ピン５−１…５−６の外端を全て内筒２の外周に揃えるキーを使用し、補助タンブラ９−１…９−６を全て内収納穴１２−１…１２−６に収納させて、いずれの通常キーＫ１…ＫＮについても使用を禁止することができる。さらに、全部移動状態となったシリンダ錠は、ニュートラルキーＮを用いて初期状態に戻すことができる。
【００３８】
なお、図では、内ピン５−１…５−６の長さを互いに同一としているが、内ピン５−１…５−６は、内ピン１０−１…１０−６と同様に数種類の長さのものを組み合わせると、鍵違い数が増えて安全性がより高くなる。
【００３９】
内収納穴１２−１…１２−６は、その外端を外ピン７−１…７−６の内端よりも小さくして、外ピン７−１…７−６が内収納穴１２−１…１２−６に落ち込まないようにすると好ましい。このようにすれば、鍵穴１に差し込んだ鍵が、補助タンブラを収納していない内収納穴１２−４…１２−６に対応する内コントロールピン１３−４…１３−６の外端を内筒２の外周に揃えなくても、内収納穴１２−１…１２−６が外ピン穴６−１…６−６と向き合う位置まで内筒２を回転させたときに、外ピン７−４…７−６が内収納穴１２−４…１２−６に落ち込まない。そのため、上記の一部移動状態のシリンダ錠の鍵穴１に、内コントロールピン１３−４…１３−６の外端を内筒２の外周に揃えない形状とした通常キーを差し込んで内筒２を回転させたときに、内筒２が鍵差込位置に戻らなくなる事態を防止でき、そのような形状の通常キーを使用することが可能となる。この通常キーは、いずれの一部移動状態に対応した通常キーであるかを鍵の形状から読み取るのが困難なので、鍵の偽造がより難しく、安全性が高い。
【００４０】
また、外筒３に、鍵差込位置で内収納穴１２−１…１２−６と向き合う外収納穴１４−１…１４−６を形成し、この外収納穴１４−１…１４−６に外コントロールピン１５−１…１５−６を内向きに付勢して挿入するとより好ましい。このようにすれば、鍵を鍵穴１に差し込む際に、内収納穴１２−１…１２−３内に収納されている補助タンブラ９−１…９−３が外収納穴１４−１…１４−３内に逃げるので、鍵の差込みが円滑となる。
【００４１】
このとき、外コントロールピン１５−１…１５−６の内端は、内収納穴１２−１…１２−６の外端よりも大きくして、外コントロールピン１５−１…１５−６が内収納穴１２−１…１２−６に落ち込まないようにすると好ましい。このようにすれば、鍵穴１に差し込んだ鍵が、内コントロールピン１３−４…１３−６の外端を内筒２の外周に揃えなくても、外コントロールピン１５−４…１５−６が内収納穴１２−４…１２−６に落ち込まないので、内コントロールピン１３−４…１３−６の外端を内筒２の外周に揃えない形状の通常キーでも上記の一部移動状態のシリンダ錠の施開錠が可能となる。そのような形状の通常キーは、いずれの一部移動状態に対応した通常キーであるかを鍵の形状からは読み取りにくく、安全性が高い。
【００４２】
ニュートラルキーＮは、図８に示すように、鍵穴１に差し込んだ際に内ピン５−１…５−６の外端を内筒２の外周に揃える形状とすると、シリンダ錠がいずれの一部移動状態であっても、また全部移動状態であっても初期状態に戻すことができるが、内収納穴内に収納されている補助タンブラ９−１…９−３に対応する内ピン５−１…５−３の外端を内筒２の外周に揃え、他の補助タンブラ９−４…９−６の外端を内筒２の外周に揃える形状として、限られた一部移動状態のみを初期状態に戻せるようにしてもよい。このようにすれば、そのニュートラルキーで施開錠できる一部移動状態の種類が制限されるので、万一ニュートラルキーが紛失・盗難に遭っても、シリンダ錠を新たな一部移動状態に更に変化させてそのニュートラルキーの使用を禁止することができ、安全性が高い。
【００４３】
補助タンブラ９−１…９−６は、球状とするとその動作が円滑となるので好ましいが、たとえば円柱状など他の形状でもよい。
【００４４】
また、図１２に示すように、内ピン５−１…５−６の外端と内コントロールピン１３−１…１３−６の外端とを全て内筒２の外周に揃える形状のマスターキーＭを用いれば、初期状態、一部移動状態、全部移動状態のいずれの状態においても、シリンダ錠を施開錠することができ、しかも、各々の補助タンブラ９−１…９−６の位置がマスターキーＭの使用前後で変化しない。
【００４５】
また、図１３に示すように、補助タンブラ９−１…９−６の外端を全て内筒２の外周に揃える工事用キーＣを用いれば、初期状態においてはこの工事用キーＣでシリンダ錠を施開錠することができるが、その補助タンブラを一部移動状態または全部移動状態に変化させると施開錠できなくなる。
【００４６】
ニュートラルキーＮは、上記のように鍵の引抜方向に移動可能となすと、シリンダ錠の奥行きを大きくする必要がなく好ましいが、鍵の差込方向に移動可能となして、差込方向に移動させるニュートラルキーが内コントロールピン１３−１…１３−６を押し動かすようにしてもよい。
【００４７】
また、ニュートラルキーＮの押圧部１７は、たとえば、内コントロールピン１３−１…１３−６の内端と対向する部分の前方部分に磁石を埋め込んで構成し、さらに内コントロールピン１３−１…１３−６の内端にも磁石を埋め込んで、ニュートラルキーＮを引抜方向に移動させたときに磁石同士の反発力で内コントロールピン１３−１…１３−６を半径方向外方に押し動かすようにしてもよく、ニュートラルキーＮを前後方向に動かす作動により内コントロールピン１３−１…１３−６を半径方向外方に押し動かせればよい。
【００４８】
図では、内収納穴１２−１…１２−６を、内筒２を時計回りに９０度回転させたときに外ピン穴６−１…６−６と向き合うように配置したが、反時計回りに９０度回転させたときに外ピン穴６−１…６−６と向き合うように配置してもよく、また、他の回転角度で外ピン穴６−１…６−６と向き合うように配置してもよい。
【００４９】
外ピン７−１…７−６および外コントロールピン１５−１…１５−６の付勢は、ばねを用いて行なうとピン動作の信頼性が高くなって好ましいが、たとえば磁石同士の反発力を用いて付勢してもよい。
【００５０】
この発明は、平板状の鍵で施開錠するシリンダ錠以外のシリンダ錠に適用してもよく、たとえば、内ピン５−１…５−６がはまり込むディンプルを表面に形成した円柱状の鍵や角柱状の鍵など他の形状の鍵で施開錠するシリンダ錠に適用してもよい。
【００５１】
図１４に、この発明のシリンダ錠の第２実施形態を示す。このシリンダ錠は、第１実施形態と同様に、鍵穴２１を有する内筒２２と、この内筒２２を回転自在に支持する外筒２３とを有し、外筒２３に対して内筒２２を回転させて施開錠する。
【００５２】
鍵穴２１は、図２１に示すように内筒２２の外周に開放して形成されており、鍵穴２１に差し込んだ鍵の端面が外筒２３の内周と対向するようになっている。
【００５３】
内筒２２には、外周から鍵穴２１に至る内ピン穴２４−１が形成されており、内ピン穴２４−１には、内ピン２５−１が挿入されている。一方、外筒２３の内周には内ピン穴２４−１に対応する位置に外ピン穴２６−１が形成されており、この外ピン穴２６−１に外ピン２７−１が挿入されている。外ピン２７−１は、外ピン穴２６−１に挿入されたばね２８−１で半径方向内方に付勢されており、外ピン２７−１と内ピン２５−１の間に補助タンブラ２９−１が組み込まれている。そのため、内ピン２５−１を半径方向外方に押し動かして補助タンブラ２９−１の外端を内筒２２の外周に揃えるか、内ピン２５−１の外端を内筒２２の外周に揃えないと、内筒２２を回転させることができない。
【００５４】
また、内ピン穴２４−１、外ピン穴２６−１と同様の内ピン穴３０−１、外ピン穴３２−１が、内ピン穴２４−１、外ピン穴２６−１に対して周方向に間隔をおいて形成されており、この内ピン穴３０−１、外ピン穴３２−１に内ピン３１−１、外ピン３３−１がそれぞれ挿入されている。外ピン３３−１は、外ピン穴３２−１に挿入されたばね３４−１で半径方向内方に付勢されており、内ピン３１−１と外ピン３３−１の間に補助タンブラ３５−１が組み込まれている。そのため、内ピン３１−１を半径方向外方に押し動かして補助タンブラ３５−１の外端を内筒２２の外周に揃えるか、内ピン３１−１の外端を内筒２２の外周に揃えないと、内筒２２を回転させることができない。
【００５５】
また内筒２２には、内ピン穴２４−１、３０−１の両方に対して周方向に間隔をおいた位置に外周から鍵穴２１に至る内収納穴３６−１が形成されている。この内収納穴３６−１は、外ピン穴２６−１に一致する位置まで内筒２２を回転させた状態で外ピン穴２６−１と連通し、外ピン穴２６−１内の補助タンブラ２９−１を収納できるようになっている。また、外ピン穴３２−１に一致する位置まで内筒２２を回転させた状態で外ピン穴３２−１と連通し、外ピン穴３２−１内の補助タンブラ３５−１を収納できるようになっている。
【００５６】
内収納穴３６−１には内コントロールピン３７−１が挿入されており、この内コントロールピン３７−１は、鍵穴２１に鍵を差し込んで押し動かせるようになっている。
【００５７】
外筒２３の内周には、内筒２２の内収納穴３６−１に対応する位置に外収納穴３８−１が形成されており、外収納穴内３８−１には、ばね３９−１で半径方向内方に付勢された外コントロールピン４０−１が挿入されている。外コントロールピン４０−１は、ばね３９−１の弾性力によって内収納穴３６−１に落ち込んで内コントロールピン３７−１を押圧している。
【００５８】
内収納穴３６−１の縁には、内筒２２を回転させたときに外コントロールピン４０−１を半径方向外方に案内するガイド面４１が形成されている。
【００５９】
以上に述べた内ピン穴２４−１、内ピン２５−１、外ピン穴２６−１、外ピン２７−１、ばね２８−１、補助タンブラ２９−１、内ピン穴３０−１、内ピン３１−１、外ピン穴３２−１、外ピン３３−１、ばね３４−１、補助タンブラ３５−１、内収納穴３６−１、内コントロールピン３７−１、外収納穴３８−１、ばね３９−１、外コントロールピン４０−１と同様の内ピン穴２４−２…２４−４、内ピン２５−２…２５−４、外ピン穴２６−２…２６−４、外ピン２７−２…２７−４、ばね２８−２…２８−４、補助タンブラ２９−２…２９−４、内ピン穴３０−２…３０−４、内ピン３１−２…３１−４、外ピン穴３２−２…３２−４、外ピン３３−２…３３−４、ばね３４−２…３４−４、補助タンブラ３５−２…３５−４、内収納穴３６−２…３６−４、内コントロールピン３７−２…３７−４、外収納穴３８−２…３８−４、ばね３９−２…３９−４、外コントロールピン４０−２…４０−４が、それぞれ軸方向に間隔をおいて設けられている。ガイド面４１は、軸方向に連続して形成されており、内収納穴３６−１の位置から内収納穴３６−４の位置まで至っている。
【００６０】
このシリンダ錠は、たとえば以下に説明するように、回収キーＧ１を用いて補助タンブラ２９−１、３５−２を回収することができる。また、回収キーＧ１で回収されない補助タンブラ２９−２…２９−４、３５−１、３５−３、３５−４のうち、補助タンブラ２９−３、３５−１を通常キーＣＫ１を用いてそれぞれ内収納穴３６−３、３６−１に収納させることができる。内収納穴３６−３、３６−１に収納された補助タンブラ２９−３、３５−１は、ニュートラルキーＮＲ、ＮＬを用いて内ピンと外ピンの間に復帰させることができる。図１４〜図３０は、回収キーＧ１による補助タンブラ２９−１、３５−２の回収操作の一例を、図３１〜図４４は、通常キーＣＫ１による補助タンブラ２９−３、３５−１の収納操作の一例を、図４７〜図６７は、ニュートラルキーＮＲ、ＮＬによる補助タンブラ２９−３、３５−１の復帰操作の一例をそれぞれ示す。
【００６１】
まず、回収キーＧ１による補助タンブラ２９−１、３５−２の回収操作を説明する。回収キーＧ１には、図２２、図２７に示すように鍵穴２１の内筒２２の外周への開放位置に対応する位置に回収凹部４２−１、４２−２が形成されている。
【００６２】
補助タンブラ２９−１…２９−４が内ピン２５−１…２５−４と外ピン２７−１…２７−４の間にあり、さらに補助タンブラ３５−１…３５−４も内ピン３１−１…３１−４と外ピン３３−１…３３−４の間にある状態で（図１４、図２１、図２６参照）、鍵穴２１に回収キーＧ１を差し込む（図１５、図２２、図２７参照）。鍵穴２１に差し込まれた回収キーＧ１は、内ピン２５−１、３１−２を押し動かしてその外端を内筒２２の外周に揃える。このとき内ピン２５−１、３１−２は、補助タンブラ２９−１、３５−２をそれぞれ外ピン穴２６−１、３２−２内に押し出す。
【００６３】
その状態で内筒２２を時計回りに回転させて外ピン穴３２−２の位置と鍵の回収凹部４２−２の位置を一致させる（図１６、図２８参照）。外ピン穴３２−２の位置と回収凹部４２−２の位置が一致すると、外ピン穴３２−２内の補助タンブラ３５−２が外ピン３３−２により押し動かされて回収凹部４２−２に回収される。
【００６４】
ついで、内ピン３１−１…３１−４と外ピン３３−１…３３−４が対向する位置に内筒２２を戻す（図１７、図２９参照）。このとき補助タンブラ３５−２は、回収凹部４２−２内に保持されているので（図２９参照）、内ピン３１−２と外ピン３３−２の間にない。
【００６５】
つづいて、内筒２２を反時計回りに回転させて、外ピン穴２６−１の位置と鍵の回収凹部４２−１の位置を一致させる（図１８、図２３参照）。外ピン穴２６−１の位置と回収凹部４２−１の位置が一致すると、外ピン穴２６−１内の補助タンブラ２９−１が外ピン２７−１により押し動かされて回収凹部４２−１に回収される。
【００６６】
さらに、内ピン２５−１…２５−４と外ピン２７−１…２７−４が対向する位置に内筒２２を戻す（図１９、図２４参照）。このとき補助タンブラ２９−１は、回収凹部４２−１内に保持されているので、内ピン２５−１と外ピン２７−１の間にない（図２４参照）。
【００６７】
その後、鍵穴２１から回収キーＧ１を引き抜くと（図２０、図２５、図３０参照）、回収キーＧ１の回収凹部４２−１、４２−２内にある補助タンブラ２９−１、３５−２が、回収キーＧ１と共に鍵穴２１から抜き出される。これによりシリンダ錠は、内ピン２５−１と外ピン２７−１の間から補助タンブラ２９−１がなくなり、さらに内ピン３１−２と外ピン３３−２の間から補助タンブラ３５−２がなくなった状態となる。
【００６８】
補助タンブラ２９−１、３５−２が回収されたシリンダ錠は、その補助タンブラ２９−１、３５−２に対応する内ピン２５−１、３１−２の外端をそれぞれ内筒２２の外周に揃えないと内筒２２を回転させることができない。そのため、内ピン２５−１、３１−２を押し動かして補助タンブラ２９−１、３５−２の外端を内筒２２の外周に揃える鍵では施開錠することができなくなる。
【００６９】
つぎに、通常キーＣＫ１による補助タンブラ２９−３、３５−１の収納操作を説明する。
【００７０】
回収キーＧ１により補助タンブラ２９−１、３５−２が回収された状態で（図２０参照）、鍵穴２１に通常キーＣＫ１を差し込む（図３１、図３７、図４１参照）。鍵穴２１に差し込まれた通常キーＣＫ１は、内ピン２５−３、３１−１を押し動かしてその外端を内筒２２の外周に揃える。このとき内ピン２５−３、３１−１は、補助タンブラ２９−３、３５−１をそれぞれ外ピン穴２６−３、３２−１内に押し出す。また、補助タンブラ２９−３、３５−１に対応する内コントロールピン３７−３、３７−１を押し動かして、その内コントロールピン３７−３、３７−１に対応する内収納穴３６−３、３６−１を補助タンブラの収納が可能な状態にする（図３７、図４１参照）。
【００７１】
その状態で内筒２２を時計回りに回転させて外ピン穴２６−１…２６−４の位置と内収納穴３６−１…３６−４の位置を一致させる（図３２、図４２参照）。このとき、外コントロールピン４０−１は、ガイド面４１に案内されて内収納穴３６−１から抜け出るので内筒２２の回転を妨げない（図４１参照）。外ピン穴２６−１…２６−４の位置と内収納穴３６−１…３６−４の位置が一致すると、外ピン穴２６−３内の補助タンブラ２９−３が外ピン２７−３により押し動かされて内収納穴３６−３に収納される。
【００７２】
ついで、内ピン２５−１…２５−４と外ピン２７−１…２７−４が対向する位置に内筒２２を戻す（図３３、図４３参照）。このとき補助タンブラ２９−３は、内収納穴３６−３に収納されているので（図４３参照）、内ピン２５−３と外ピン２７−３の間にない。
【００７３】
つづいて、内筒２２を反時計回りに回転させて、外ピン穴３２−１…３２−４の位置と内収納穴３６−１…３６−４の位置を一致させる（図３４、図３８参照）。外ピン穴３２−１…３２−４の位置と内収納穴３６−１…３６−４の位置が一致すると、外ピン穴３２−１内の補助タンブラ３５−１が外ピン３３−１により押し動かされて内収納穴３６−１に収納される（図３８参照）。
【００７４】
さらに、内ピン３１−１…３１−４と外ピン３３−１…３３−４が対向する位置に内筒２２を戻す（図３５、図３９参照）。このとき補助タンブラ３５−１は、内収納穴３６−１に収納されているので（図３９参照）、内ピン３１−１と外ピン３３−１の間にない。
【００７５】
その後、鍵穴２１から通常キーＣＫ１を引き抜くと（図３６、図４０、図４４参照）、シリンダ錠は、内ピン２５−３と外ピン２７−３の間の補助タンブラ２９−３が内収納穴３６−３に収納され、さらに内ピン３１−１と外ピン３３−１の間の補助タンブラ３５−１が内収納穴３６−１に収納された状態となる。
【００７６】
補助タンブラ２９−３、３５−１が内収納穴３６−３、３６−１に収納されたシリンダ錠は、その補助タンブラ２９−３、３５−１に対応する内ピン２５−３、３１−１の外端をそれぞれ内筒２２の外周に揃えないと内筒２２を回転させることができない。そのため、内ピン２５−３、３１−１を押し動かして補助タンブラ２９−３、３５−１の外端を内筒２２の外周に揃える鍵では施開錠することができなくなる。
【００７７】
たとえば、図４５に示す通常キーＣＫ２は、補助タンブラ２９−３、３５−１を内収納穴３６−３、３６−１に収納させる前の状態のシリンダ錠を、補助タンブラ２９−３の外端を内筒２２の外周に揃えて施開錠することができる。しかし、通常キーＣＫ１を用いて補助タンブラ２９−３、３５−１を内収納穴３６−３、３６−１に収納させた状態のシリンダ錠は、通常キーＣＫ２で施開錠しようとしても、図４６に示すように外ピン２７−３が内ピン穴２４−３に落ち込むので施開錠することができない。
【００７８】
つぎに、ニュートラルキーＮＲ、ＮＬによる補助タンブラ２９−３、３５−１の復帰操作を説明する。ニュートラルキーＮＲは、内収納穴３６−３内の補助タンブラ２９−３を内ピン２５−３と外ピン２７−３の間に復帰させる鍵であり、ニュートラルキーＮＬは、内収納穴３６−１内の補助タンブラ３５−１を内ピン３１−１と外ピン３３−１の間に復帰させる鍵である。
【００７９】
補助タンブラ２９−３、３５−１が内収納穴３６−３、３６−１に収納された状態で（図３６参照）、鍵穴２１にニュートラルキーＮＲを差し込む（図４７、図５７参照）。鍵穴２１に差し込まれたニュートラルキーＮＲは、内ピン２５−１…２５−４を押し動かしてその外端をそれぞれ内筒２２の外周に揃える。このとき内ピン２５−２、２５−４は、補助タンブラ２９−２、２９−４をそれぞれ外ピン穴２６−２、２６−４内に押し出す。
【００８０】
その状態で内筒２２を時計回りに回転させて、外ピン穴２６−１…２６−４の位置と内収納穴３６−１…３６−４の位置を一致させる（図４８、図５８参照）。外ピン穴２６−１…２６−４の位置と内収納穴３６−１…３６−４の位置が一致すると、外ピン穴２６−２、２６−４内の補助タンブラ２９−２、２９−４が外ピン２７−２、２７−４により押し動かされて内収納穴３６−２、３６−４に収納される。これによりシリンダ錠は、補助タンブラ２９−２…２９−４が内収納穴３６−２…３６−４にそれぞれ収納され、補助タンブラ３５−１が内収納穴３６−１に収納された状態となる。
【００８１】
ついで、ニュートラルキーＮＲを引抜方向に移動させる（図４９、図５９参照）。このニュートラルキーＮＲには、それぞれの内ピン２５−１…２５−４、３１−１…３１−４に対応する長溝４３が形成されている。そのためニュートラルキーＮＲは、内筒２２の回転を許容する位置に内ピン２５−１…２５−４、３１−１…３１−４を保持しつつ引抜方向に移動させることができる。
【００８２】
また、ニュートラルキーＮＲには、図４８に示すように内コントロールピン３７−２…３７−４の内端と当接する部分から次第に隆起する押圧部４４が形成されている。そのため、引抜方向に移動するニュートラルキーＮＲは、その押圧部４４で内コントロールピン３７−２…３７−４を半径方向外方に押し動かして、内収納穴３６−２…３６−４内の補助タンブラ２９−２…２９−４を、それぞれ外ピン穴２６−２…２６−４内に押し出す。一方、回収キーＧ１で回収された補助タンブラ２９−１に対応する内コントロールピン３７−１の内端と当接する部分４５は、ニュートラルキーＮＲを引抜方向に移動させたときに内コントロールピン３７−１の位置を維持するように形成されている。そのため、内収納穴３６−１内の補助タンブラ３５−１は外ピン穴２６−１内に押し出されない。
【００８３】
つづいて、内ピン２５−１…２５−４と外ピン２７−１…２７−４が対向する位置に内筒２２を戻す（図５０、図６０参照）。このとき、補助タンブラ２９−２…２９−４は、それぞれ外ピン穴２６−２…２６−４内に保持されるので内ピン２５−２…２５−４と外ピン２７−２…２７−４の間に戻る。一方、補助タンブラ３５−１は、内収納穴３６−１に収納されているので（図６２参照）、内ピン２５−１と外ピン２７−１の間にない。
【００８４】
さらに、鍵穴２１からニュートラルキーＮＲを引き抜くと（図５１、図６１参照）、シリンダ錠は、補助タンブラ２９−３を内ピン２５−３と外ピン２７−３の間に復帰させた状態となる。
【００８５】
その後、ニュートラルキーＮＬを鍵穴２１に差し込む（図５２、図６３参照）。鍵穴２１に差し込まれたニュートラルキーＮＬは、内ピン３１−１…３１−４を押し動かしてその外端をそれぞれ内筒２２の外周に揃える。このとき内ピン３１−３、３１−４は、補助タンブラ３５−３、３５−４をそれぞれ外ピン穴３２−３、３２−４に押し出す。
【００８６】
その状態で内筒２２を反時計回りに回転させて、外ピン穴３２−１…３２−４の位置と内収納穴３６−１…３６−４の位置を一致させる（図５３、図６４参照）。外ピン穴３２−１…３２−４の位置と内収納穴３６−１…３６−４の位置が一致すると、外ピン穴３２−３、３２−４内の補助タンブラ３５−３、３５−４が外ピン３３−３、３３−４により押し動かされて内収納穴３６−３、３６−４に収納される。これによりシリンダ錠は、補助タンブラ３５−１、３５−３、３５−４がそれぞれ内収納穴３６−１、３６−３、３６−４に収納された状態となる。
【００８７】
ついで、ニュートラルキーＮＬを引抜方向に移動させる（図５４、図６５参照）。このニュートラルキーＮＬも、ニュートラルキーＮＲと同様に、それぞれの内ピン２５−１…２５−４、３１−１…３１−４に対応する長溝４３が形成されており、これにより、内筒２２の回転を許容する位置に内ピン２５−１…２５−４、３１−１…３１−４を保持しつつ引抜方向に移動させることができるようになっている。
【００８８】
また、このニュートラルキーＮＬには、図５３に示すように内コントロールピン３７−１、３７−３、３７−４の内端と当接する部分から次第に隆起する押圧部４６が形成されている。そのため、引抜方向に移動するニュートラルキーＮＬは、その押圧部４６が内コントロールピン３７−１、３７−３、３７−４を半径方向外方に押し動かして、内収納穴３６−１、３６−３、３６−４内の補助タンブラ３５−１、３５−３、３５−４を、それぞれ外ピン穴３２−１、３２−３、３２−４内に押し出す。
【００８９】
つづいて、内ピン３１−１…３１−４と外ピン３３−１…３３−４が対向する位置に内筒２２を戻す（図５５、図６６参照）。このとき、補助タンブラ３５−１、３５−３、３５−４は、それぞれ外ピン穴３２−１、３２−３、３２−４内に保持されるので内ピン３１−１、３１−３、３１−４と外ピン３３−１、３３−３、３３−４の間に戻る。
【００９０】
さらに、鍵穴２１からニュートラルキーＮＬを引き抜くと（図５６、図６７参照）、シリンダ錠は、補助タンブラ３５−１を内ピン３１−１と外ピン３３−１の間に復帰させた状態となる。
【００９１】
補助タンブラ２９−３、３５−１を復帰させたシリンダ錠は、通常キーＣＫ１で補助タンブラ２９−３、３５−１を内収納穴３６−３、３６−１に収納させる前の状態に戻るので、内ピン２５−３を押し動かして補助タンブラ２９−３の外端を内筒２２の外周に揃える鍵（たとえば通常キーＣＫ２）や、内ピン３１−１を押し動かして補助タンブラ３５−１の外端を内筒２２の外周に揃える鍵で施開錠することができるようになる。
【００９２】
このシリンダ錠は、内ピンと外ピンの間にそれぞれ補助タンブラ２９−１…２９−４、３５−１…３５−４を組み込んで、その補助タンブラの内外２箇所で内筒２２の回転を許容するようにしたので、複数種類の通常キーで施開錠することができる。また、この補助タンブラ２９−１…２９−４、３５−１…３５−４を内収納穴３６−１…３６−４に選択的に収納させることにより、特定の通常キーでのみ施開錠可能な状態とすることができる。さらに、ニュートラルキーＮＲ、ＮＬを用いて内収納穴３６−１…３６−４内の補助タンブラを内ピンと外ピンの間に復帰させた後、他の通常キーを用いて補助タンブラを内収納穴に収納させることによって、錠の交換なしに、使用する鍵の種類を何度でも変更することができる。
【００９３】
また、このシリンダ錠は、図２１に示すように内収納穴３６−１内に補助タンブラがない状態では、ばね３９−１で付勢された外コントロールピン４０−１が内コントロールピン３７−１を半径方向内方に押圧する。また、図４０に示すように内収納穴３６−１内に補助タンブラ３５−１がある状態でも、外コントロールピン４０−１に押圧された補助タンブラ３５−１が内コントロールピン３７−１を半径方向内方に押圧する。そのため、内コントロールピン３７−１は、ばね３９−１の付勢力に勝る力を加えないと動かず、内収納穴３６−１内に補助タンブラがなくても内コントロールピン３７−１ががたつかない。そのため、鍵穴２１から内コントロールピン３７−１に触れてみても、シリンダ錠が内収納穴３６−１に補助タンブラを収納させた状態にあるか否かを読み取ることは困難である。他の内収納穴３６−２…３６−４についても同様である。よって、いずれの内収納穴３６−１…３６−４に補助タンブラが収納されているかが読み取られにくく、他の通常キーに対応する状態のシリンダ錠を施開錠可能な鍵（たとえば通常キーＣＫ２や、内ピン２５−１…２５−４、３１−１…３１−４の外端をすべて内筒２２の外周に揃えるマスターキー）が偽造されにくい。
【００９４】
また、このシリンダ錠は、内収納穴３６−１に収納させることができる補助タンブラが２つあるので、万一、シリンダ錠が内収納穴３６−１に補助タンブラを収納させている状態にあることを通常キーＣＫ１の形状に基づいて読み取られた場合でも、その補助タンブラが補助タンブラ２９−１、３５−１のいずれであるかは分からない。他の内収納穴３６−２…３６−４についても同様である。そのため、いずれの補助タンブラ２９−１…２９−４、３５−１…３５−４が収納されているかを読み取られにくく、他の通常キーに対応する状態のシリンダ錠を施開錠可能な鍵が偽造されにくい。よって、防犯上の安全性が高い。
【００９５】
また、このシリンダ錠は、回収キーを用いて補助タンブラ２９−１…２９−４、３５−１…３５−４を回収することができるので、万一、シリンダ錠が内収納穴３６−２、３６−４に補助タンブラを収納させていない状態にあることを通常キーＣＫ１の形状に基づいて読み取られた場合でも、その内収納穴３６−２、３６−４に対応する補助タンブラ２９−２、２９−４、３５−２、３５−４が回収キーにより回収されずに残っているか否かは分からない。また、シリンダ錠が内収納穴３６−１、３６−３に補助タンブラ３５−１、２９−３を収納させた状態にあることを通常キーＣＫ１の形状に基づいて読み取られた場合でも、その内収納穴３６−１、３６−３に対応する残りの補助タンブラ２９−１、３５−３が回収されずに残っているか否かは分からない。そのため、いずれの補助タンブラ２９−１…２９−４、３５−１…３５−４が内ピンと外ピンの間にあるかを読み取られにくく、防犯上の安全性が高い。
【００９６】
裏表を反対にして鍵穴２１に差し込んでも施開錠可能な通常キーを使用する場合、図６８に示すようにニュートラルキーＮＲに対応する押圧部４４とニュートラルキーＮＬに対応する押圧部４６の両方を１つの鍵に形成してなるニュートラルキーＮＲＬを使用することができる。このニュートラルキーＮＲＬは、上述のニュートラルキーＮＲとして使用して内収納穴３６−３内の補助タンブラ２９−３を復帰させ、その後、鍵の裏表を反対にして鍵穴２１に差し込んで上述のニュートラルキーＮＬとして使用して内収納穴３６−１内の補助タンブラ３５−１を復帰させることができる。このようなニュートラルキーＮＲＬを使用すると、ニュートラルキーの管理が容易となるのでより好ましい。
【００９７】
この実施形態のシリンダ錠を用いると、たとえば次のように１種類のシリンダ錠で多数の鍵違いを作り出すことができる。
【００９８】
まず、図６９に示すように、補助タンブラ２９−１…２９−４、３５−１…３５−４をグループＡ（図では、黒色の補助タンブラ２９−１、３５−２、３５−３、２９−４）と、グループＢ（図では、白色の補助タンブラ３５−１、２９−２、２９−３、３５−４）に分ける。このときグループＡは、各内収納穴３６−１…３６−４に対応する補助タンブラを１つずつ選択したグループとし、グループＢは、その残りの補助タンブラのグループとすると、作り出せる鍵違い数がより多くなるので好ましい。
【００９９】
つぎに、図７０に示すように、グループＡから選択した補助タンブラを回収する複数種類の回収キーＧ１、Ｇ２、Ｇ３…ＧＭを用意する。ここで回収キーＧ１、Ｇ２、Ｇ３…ＧＭは、回収する補助タンブラの総数を同一とし、回収する補助タンブラの組み合わせが互いに異なる形状にする。
【０１００】
つづいて、回収キーＧ１で回収される補助タンブラ２９−１、３５−２に対応する内ピン２５−１、３１−２の外端を内筒２２の外周に揃えるとともに、グループＡの補助タンブラのうち回収キーＧ１で回収されない補助タンブラ３５−３、２９−４に対応する内ピン３１−３、２５−４を押し動かしてその補助タンブラ３５−３、２９−４の外端を内筒２２の外周に揃える通常キーＣＫ１、ＣＫ２、ＣＫ３…ＣＫＮを用意する。このとき通常キーＣＫ１、ＣＫ２、ＣＫ３…ＣＫＮは、グループＢから選択した補助タンブラを内収納穴に収納させるようにする。また通常キーＣＫ１、ＣＫ２、ＣＫ３…ＣＫＮは、内収納穴に収納させる補助タンブラの総数を同一とし、収納させる補助タンブラの組み合わせが互いに異なる形状にする。
【０１０１】
回収キーＧ２についても同様に通常キーＣＫ（Ｎ＋１）…ＣＫ２Ｎを用意し、残りの回収キーＧ３…ＧＭについてもそれぞれ同様に通常キーを用意する。
【０１０２】
このような回収キーと通常キーからなるキーシステムを用いると、回収キーＧ１、Ｇ２、Ｇ３…ＧＭのいずれかでシリンダ錠から補助タンブラを回収した後に、その回収キーに対応する通常キーのいずれかを用いて補助タンブラを内収納穴に収納させることにより、その通常キー以外の通常キーによる施開錠を禁止することができる。
【０１０３】
たとえば、回収キーＧ１で補助タンブラ２９−１、３５−２を回収した後に、通常キーＣＫ１で補助タンブラ２９−３、３５−１を内収納穴に収納させると、回収キーＧ１以外の回収キーＧ２、Ｇ３…ＧＭに対応する通常キーは、グループＡの補助タンブラ２９−１、３５−２、３５−３、２９−４に対応する内ピン２５−１、３１−２、３１−３、２５−４と当接する部分の形状が通常キーＣＫ１と異なるので施開錠することができず、回収キーＧ１に対応する通常キーＣＫ１以外の通常キーＣＫ２、ＣＫ３…ＣＫＮも、グループＢの補助タンブラ３５−１、２９−２、２９−３、３５−４に対応する内ピン３１−１、２５−２、２５−３、３１−４と当接する部分の形状が通常キーＣＫ１と異なるので施開錠することができない。
【０１０４】
このようにして鍵違いを生じさせたシリンダ錠は、ニュートラルキーで補助タンブラを復帰させた後に、別の通常キーで補助タンブラを内収納穴に収納させることにより、施開錠可能な通常キーを別の通常キーに変更することができる。そのため、通常キーが紛失・盗難に遭っても、シリンダ錠を交換することなく安全を確保することができる。
【０１０５】
たとえば、通常キーＣＫ１が盗難に遭った場合、ニュートラルキーＮＲ、ＮＬを用いて補助タンブラ２９−３、３５−１を復帰させ、その後、図４５に示す通常キーＣＫ２を用いて補助タンブラ３５−１、３５−４を内収納穴３６−１、３６−４に収納させ、内ピン３０−４と外ピン３３−４の間に補助タンブラ３５−４がない状態にすると（図７１参照）、通常キーＣＫ１を鍵穴に差し込んだときに外ピン３３−４が内ピン穴３０−４に落ち込むので施開錠することができなくなる（図７２参照）。
【０１０６】
ニュートラルキーＮＲ、ＮＬは、上記実施形態で示したように鍵穴２１に差し込んだときに内ピン２５−１…２５−４、３１−１…３１−４を押し動かしてその外端をそれぞれ内筒２２の外周に揃える形状とすると、他の通常キーを用いて補助タンブラ２９−３、３５−１以外の補助タンブラを内収納穴に収納させたときでも、その補助タンブラを復帰させることができるので便利であり好ましいが、補助タンブラ２９−３、３５−１以外の補助タンブラの外端を内筒２２の外周に揃える形状としてもよい。復帰させる補助タンブラ２９−３、３５−１以外の補助タンブラの外端を内筒２２の外周に揃えるニュートラルキーＮＲ、ＮＬを用いると、ニュートラルキーＮＲ、ＮＬが紛失・盗難に遭っても、補助タンブラ２９−３、３５−１以外の補助タンブラを内収納穴に収納させることで、そのニュートラルキーＮＲ、ＮＬによる施開錠を禁止することができる。そのため防犯上の安全性が高い。
【０１０７】
また、ニュートラルキーＮＲは、復帰させようとする補助タンブラ２９−３以外の補助タンブラ２９−１、２９−２、２９−４に対応する内コントロールピン３７−１、３７−２、３７−４の外端を内筒２２の外周に揃えるとともに、内コントロールピン３７−３を押し動かして内収納穴３６−３内の補助タンブラ２９−３の外端を内筒２２の外周に揃える形状としてもよい。このようにすると、ニュートラルキーＮＲに押し動かされた内コントロールピン３７−１、３７−２、３７−４が内収納穴３６−１、３６−２、３６−４への補助タンブラの収納を阻止するとともに、内収納穴３６−３内の補助タンブラ２９−３が内収納穴３６−３への補助タンブラの収納を阻止する。そのため、誤ってニュートラルキーＮＲを反時計回りに回転させたとしても、内収納穴３６−１…３６−４への補助タンブラの収納が生じず、通常キーＣＫ１で施開錠できなくなるのを防止することができる。ニュートラルキーＮＬについても同様に、復帰させようとする補助タンブラ３５−１以外の補助タンブラ３５−２…３５−４に対応する内コントロールピン３７−２…３７−４の外端を内筒２２の外周に揃えるとともに、内コントロールピン３７−１を押し動かして内収納穴３６−１内の補助タンブラ３５−１の外端を内筒２２の外周に揃える形状としてもよい。
【０１０８】
第２実施形態では、回収キーＧ１による回収操作の後に、通常キーＣＫ１による収納操作を行なう例を示したが、この操作の順序は反対でもよい。また、回収キーＧ１による補助タンブラの回収は行なわずに、通常キーＣＫ１による収納操作のみを行なうようにしてもよい。
【０１０９】
第２実施形態の外コントロールピン４０−１…４０−４は、第１実施形態と同様、内端が内収納穴３６−１…３６−４の外端よりも大きくなるように形成して、外コントロールピン４０−１…４０−４が内収納穴３６−１…３６−４に落ち込まないようにしてもよい。このとき、外コントロールピン４０−１…４０−４を案内するガイド面４１は不要である。また、図７３に示すように、外収納穴３８−１と外コントロールピン４０−１に互いに係合する段部４７−１、４８−１をそれぞれ形成し、その段部の係合により外コントロールピン４０−１が内収納穴３６−１に落ち込まないようにしてもよい。他の外収納穴３８−２…３８−４と外コントロールピン４０−２…４０−４についても同様である。
【０１１０】
回収キーによる補助タンブラの回収は、第１実施形態のシリンダ錠について行なってもよい。このようにすると、シリンダ錠が内収納穴１２−４…１２−６に補助タンブラ９−４…９−６を収納させていない状態にあることを通常キーＫ１の形状に基づいて読み取られた場合でも、その補助タンブラ９−４…９−６が回収キーにより回収されずに残っているか否かは分からない。そのため、いずれの補助タンブラ９−１…９−６が内ピン５−１…５−６と外ピン７−１…７−６の間にあるかを読み取られにくく、防犯上の安全性が高い。
【０１１１】
図では、内ピン２５−１…２５−４、３１−１…３１−４の長さを全て同一としているが、第１実施形態の内ピン１０−１…１０−６と同様に数種類の長さのものを組み合わせると、鍵違い数が増えて安全性がより高くなる。
【０１１２】
このシリンダ錠は、内筒２２の回転によりドア等の開閉を禁止し、またその解除を行なう錠前機構に組み込むことができ、たとえば内筒２２の回転によりドアの戸先側の端面からラッチボルトを出入りさせ、そのラッチボルトとドア枠の係合によりドアの開閉を禁止する機構に組み込むことができる。
【図面の簡単な説明】
【０１１３】
【図１】第１実施形態のシリンダ錠の初期状態を示す平面視断面図
【図２】同上のシリンダ錠に通常キーを差し込んで、一部の補助タンブラを外ピン穴に押し出した状態を示す平面視断面図
【図３】同上のシリンダ錠の通常キーを回して、外ピン穴内の補助タンブラを内収納穴に収納した状態を示す平面視断面図
【図４】同上のシリンダ錠の通常キーをさらに反対方向に回して鍵差込位置に戻した状態を示す平面視断面図
【図５】同上のシリンダ錠の通常キーを引き抜いた一部移動状態を示す平面視断面図
【図６】（ａ）は図１のＰ−Ｐ線に沿った断面図、（ｂ）は図２のＱ１−Ｑ１線に沿った断面図、（ｃ）は図３のＲ１−Ｒ１線に沿った断面図、（ｄ）は図４のＳ１−Ｓ１線に沿った断面図、（ｅ）は図５のＴ１−Ｔ１線に沿った断面図
【図７】（ａ）は図２のＱ２−Ｑ２線に沿った断面図、（ｂ）は図３のＲ２−Ｒ２線に沿った断面図、（ｃ）は図４のＳ２−Ｓ２線に沿った断面図、（ｄ）は図５のＴ２−Ｔ２線に沿った断面図
【図８】一部移動状態にある本実施形態のシリンダ錠にニュートラルキーを差し込んで、内筒の回転を許容した状態を示す平面視断面図
【図９】同上のシリンダ錠のニュートラルキーを回して、内収納穴を外ピン穴と向き合わせた状態を示す平面視断面図
【図１０】同上のシリンダ錠のニュートラルキーをさらに引抜方向に移動させて、内収納穴内にある補助タンブラを外ピン穴内に押し出した状態を示す平面視断面図
【図１１】同上のシリンダ錠のニュートラルキーをさらに反対方向に回して鍵差込位置に戻した状態を示す平面視断面図
【図１２】（ａ）は本実施形態のシリンダ錠にマスターキーを差し込んだ状態を示す平面視断面図、（ｂ）は側面視断面図
【図１３】本実施形態のシリンダ錠に工事用キーを差し込んだ状態を示す平面視断面図
【図１４】この発明の第２実施形態のシリンダ錠を示す平面視断面図
【図１５】図１４のシリンダ錠の鍵穴に回収キーＧ１を差し込んだ状態を示す図
【図１６】図１５のシリンダ錠の内筒を時計回りに回転させた状態を示す図
【図１７】図１６のシリンダ錠の内筒を元の位置に戻した状態を示す図
【図１８】図１７のシリンダ錠の内筒を反時計回りに回転させた状態を示す図
【図１９】図１８のシリンダ錠の内筒を元の位置に戻した状態を示す図
【図２０】図１９のシリンダ錠の鍵穴から回収キーＧ１を抜き取った状態を示す図
【図２１】図１４のＸＸＩ−ＸＸＩ線に沿った断面図
【図２２】図１５のＸＸＩＩ−ＸＸＩＩ線に沿った断面図
【図２３】図１８のＸＸＩＩＩ−ＸＸＩＩＩ線に沿った断面図
【図２４】図１９のＸＸＩＶ−ＸＸＩＶ線に沿った断面図
【図２５】図２０のＸＸＶ−ＸＸＶ線に沿った断面図
【図２６】図１４のＸＸＶＩ−ＸＸＶＩ線に沿った断面図
【図２７】図１５のＸＸＶＩＩ−ＸＸＶＩＩ線に沿った断面図
【図２８】図１６のＸＸＶＩＩＩ−ＸＸＶＩＩＩ線に沿った断面図
【図２９】図１７のＸＸＩＸ−ＸＸＩＸ線に沿った断面図
【図３０】図２０のＸＸＸ−ＸＸＸ線に沿った断面図
【図３１】図２０のシリンダ錠の鍵穴に通常キーＣＫ１を差し込んだ状態を示す図
【図３２】図３１のシリンダ錠の内筒を時計回りに回転させた状態を示す図
【図３３】図３２のシリンダ錠の内筒を元の位置に戻した状態を示す図
【図３４】図３３のシリンダ錠の内筒を反時計回りに回転させた状態を示す図
【図３５】図３４のシリンダ錠の内筒を元の位置に戻した状態を示す図
【図３６】図３５のシリンダ錠の鍵穴から通常キーＣＫ１を抜き取った状態を示す図
【図３７】図３１のＸＸＸＶＩＩ−ＸＸＸＶＩＩ線に沿った断面図
【図３８】図３４のＸＸＸＶＩＩＩ−ＸＸＸＶＩＩＩ線に沿った断面図
【図３９】図３５のＸＸＸＩＸ−ＸＸＸＩＸ線に沿った断面図
【図４０】図３６のＸＬ−ＸＬ線に沿った断面図
【図４１】図３１のＸＬＩ−ＸＬＩ線に沿った断面図
【図４２】図３２のＸＬＩＩ−ＸＬＩＩ線に沿った断面図
【図４３】図３３のＸＬＩＩＩ−ＸＬＩＩＩ線に沿った断面図
【図４４】図３６のＸＬＩＶ−ＸＬＩＶ線に沿った断面図
【図４５】図２０のシリンダ錠の鍵穴に通常キーＣＫ２を差し込んだ状態を示す図
【図４６】図３６のシリンダ錠の鍵穴に通常キーＣＫ２を差し込んだ状態を示す図
【図４７】図３６のシリンダ錠の鍵穴にニュートラルキーＮＲを差し込んだ状態を示す図
【図４８】図４７のシリンダ錠の内筒を時計回りに回転させた状態を示す図
【図４９】図４８のニュートラルキーＮＲを引抜方向に移動させた状態を示す図
【図５０】図４９のシリンダ錠の内筒を元の位置に戻した状態を示す図
【図５１】図５０のシリンダ錠の鍵穴からニュートラルキーＮＲを抜き取った状態を示す図
【図５２】図５１のシリンダ錠の鍵穴にニュートラルキーＮＬを差し込んだ状態を示す図
【図５３】図５２のシリンダ錠の内筒を反時計回りに回転させた状態を示す図
【図５４】図５３のニュートラルキーＮＬを引抜方向に移動させた状態を示す図
【図５５】図５４のシリンダ錠の内筒を元の位置に戻した状態を示す図
【図５６】図５５のシリンダ錠の鍵穴からニュートラルキーＮＬを抜き取った状態を示す図
【図５７】図４７のＬＶＩＩ−ＬＶＩＩ線に沿った断面図
【図５８】図４８のＬＶＩＩＩ−ＬＶＩＩＩ線に沿った断面図
【図５９】図４９のＬＩＸ−ＬＩＸ線に沿った断面図
【図６０】図５０のＬＸ−ＬＸ線に沿った断面図
【図６１】図５１のＬＸＩ−ＬＸＩ線に沿った断面図
【図６２】図５０のＬＸＩＩ−ＬＸＩＩ線に沿った断面図
【図６３】図５２のＬＸＩＩＩ−ＬＸＩＩＩ線に沿った断面図
【図６４】図５３のＬＸＩＶ−ＬＸＩＶ線に沿った断面図
【図６５】図５４のＬＸＶ−ＬＸＶ線に沿った断面図
【図６６】図５５のＬＸＶＩ−ＬＸＶＩ線に沿った断面図
【図６７】図５６のＬＸＶＩＩ−ＬＸＶＩＩ線に沿った断面図
【図６８】ニュートラルキーＮＲとニュートラルキーＮＬの両方を兼ねるニュートラルキーＮＲＬを示す図
【図６９】補助タンブラのグループ分けの一例を説明する図
【図７０】図１のシリンダ錠を用いて作り出す鍵違いを説明する図
【図７１】図２０のシリンダ錠の補助タンブラを通常キーＣＫ２を用いて内収納穴に収納させた状態を示す図
【図７２】図７１のシリンダ錠の鍵穴に通常キーＣＫ１を差し込んだ状態を示す図
【図７３】図２１のシリンダ錠の変形例を示す図
【符号の説明】
【０１１４】
１    鍵穴
２    内筒
３    外筒
４−１…４−６    内ピン穴
５−１…５−６    内ピン
６−１…６−６    外ピン穴
７−１…７−６    外ピン
８−１…８−６    ばね
９−１…９−６    補助タンブラ
１２−１…１２−６    内収納穴
１３−１…１３−６    内コントロールピン
１４−１…１４−６    外収納穴
１５−１…１５−６    外コントロールピン
１７    押圧部
Ｋ１    通常キー
Ｎ      ニュートラルキー
２１    鍵穴
２２    内筒
２３    外筒
２４−１…２４−４    内ピン穴
２５−１…２５−４    内ピン
２６−１…２６−４    外ピン穴
２７−１…２７−４    外ピン
２８−１…２８−４    ばね
２９−１…２９−４    補助タンブラ
３０−１…３０−４    内ピン穴
３１−１…３１−４    内ピン
３２−１…３２−４    外ピン穴
３３−１…３３−４    外ピン
３４−１…３４−４    ばね
３５−１…３５−４    補助タンブラ
３６−１…３６−４    内収納穴
３７−１…３７−４    内コントロールピン
３８−１…３８−４    外収納穴
３９−１…３９−４    ばね
４０−１…４０−４    外コントロールピン
４１    ガイド面
４２    回収凹部
４３    長溝
４４、４６    押圧部
Ｇ１…ＧＭ    回収キー
ＣＫ１…ＣＫＮ    通常キー
ＮＬ、ＮＲ、ＮＲＬ    ニュートラルキー
【図１】
2006104928.tif 000003
【図２】
2006104928.tif 000004
【図３】
2006104928.tif 000005
【図４】
2006104928.tif 000006
【図５】
2006104928.tif 000007
【図６】
2006104928.tif 000008
【図７】
2006104928.tif 000009
【図８】
2006104928.tif 000010
【図９】
2006104928.tif 000011
【図１０】
2006104928.tif 000012
【図１１】
2006104928.tif 000013
【図１２】
2006104928.tif 000014
【図１３】
2006104928.tif 000015
【図１４】
2006104928.tif 000016
【図１５】
2006104928.tif 000017
【図１６】
2006104928.tif 000018
【図１７】
2006104928.tif 000019
【図１８】
2006104928.tif 000020
【図１９】
2006104928.tif 000021
【図２０】
2006104928.tif 000022
【図２１】
2006104928.tif 000023
【図２２】
2006104928.tif 000024
【図２３】
2006104928.tif 000025
【図２４】
2006104928.tif 000026
【図２５】
2006104928.tif 000027
【図２６】
2006104928.tif 000028
【図２７】
2006104928.tif 000029
【図２８】
2006104928.tif 000030
【図２９】
2006104928.tif 000031
【図３０】
2006104928.tif 000032
【図３１】
2006104928.tif 000033
【図３２】
2006104928.tif 000034
【図３３】
2006104928.tif 000035
【図３４】
2006104928.tif 000036
【図３５】
2006104928.tif 000037
【図３６】
2006104928.tif 000038
【図３７】
2006104928.tif 000039
【図３８】
2006104928.tif 000040
【図３９】
2006104928.tif 000041
【図４０】
2006104928.tif 000042
【図４１】
2006104928.tif 000043
【図４２】
2006104928.tif 000044
【図４３】
2006104928.tif 000045
【図４４】
2006104928.tif 000046
【図４５】
2006104928.tif 000047
【図４６】
2006104928.tif 000048
【図４７】
2006104928.tif 000049
【図４８】
2006104928.tif 000050
【図４９】
2006104928.tif 000051
【図５０】
2006104928.tif 000052
【図５１】
2006104928.tif 000053
【図５２】
2006104928.tif 000054
【図５３】
2006104928.tif 000055
【図５４】
2006104928.tif 000056
【図５５】
2006104928.tif 000057
【図５６】
2006104928.tif 000058
【図５７】
2006104928.tif 000059
【図５８】
2006104928.tif 000060
【図５９】
2006104928.tif 000061
【図６０】
2006104928.tif 000062
【図６１】
2006104928.tif 000063
【図６２】
2006104928.tif 000064
【図６３】
2006104928.tif 000065
【図６４】
2006104928.tif 000066
【図６５】
2006104928.tif 000067
【図６６】
2006104928.tif 000068
【図６７】
2006104928.tif 000069
【図６８】
2006104928.tif 000070
【図６９】
2006104928.tif 000071
【図７０】
2006104928.tif 000072
【図７１】
2006104928.tif 000073
【図７２】
2006104928.tif 000074
【図７３】
2006104928.tif 000075